(57)【特許請求の範囲】
【請求項１】
貯蔵室の前面開口部を閉塞するように観音開き式の扉を設け、前記扉の裏面周縁に設けられ冷蔵庫本体開口縁に当接するガスケットと、前記扉の非枢支側内面に回転式の仕切体を設けた冷蔵庫において、前記仕切体は、熱伝導性の高い着磁性を有する当板と、前記当板と熱伝導性の低い樹脂材料で仕切体の外郭を構成する外郭構成部材と、前記外郭構成部材の構成面である側面に設けた熱伝導抑制部と、前記熱伝導抑制部を保護するように構成された保護部材と、前記外郭構成部材の側面に一体で複数のリブ形状によって構成された冷気対流抑制部と、を備え、前記保護部材は、柔軟な材質で成形された枢支側冷気循環抑制部をさらに備え、前記保護部材は前記仕切り体の縦方向に沿って前記冷気対流抑制部の一部である前記リブを嵌合部として配置されたことを特徴とする冷蔵庫。
【請求項２】
前記保護部材は、前記外郭構成部材とツメ形状や穴形状での嵌合構造により固着したことを特徴とする請求項１に記載の冷蔵庫。
【請求項３】
前記外郭構成部材は、熱伝導抑制部を複数面で設けたことを特徴とする請求項１または２に記載の冷蔵庫。
【請求項４】
前記仕切体の内部または前記扉の前記仕切体近傍部に湿度センサーを備えたことを特徴とする請求項１から３のいずれか一項に記載の冷蔵庫。
【請求項５】
前記扉は、前記仕切体の非枢支側の側面との間に冷気循環抑制部材を備えたことを特徴とする請求項１から４のいずれか一項に記載の冷蔵庫。
【請求項６】
前記保護部材は、複数の前記熱伝導抑制部の露出を一体で保護したことを特徴とする請求項１から５のいずれか一項に記載の冷蔵庫。
【請求項７】
前記保護部材は、前記外郭構成部材との間に断熱部材を備えたことを特徴とする請求項１から６のいずれか一項に記載の冷蔵庫。
【発明の詳細な説明】
【技術分野】
【０００１】
本発明は、回転式仕切体を有する観音開き冷蔵庫の扉装置に関するものである。
【背景技術】
【０００２】
図７は、特許文献１に記載された従来の冷蔵庫の回転式仕切体の分解斜視図、図８は、従来の冷蔵庫の回転式仕切体の基本断面図である。
【０００３】
図７に示すように、仕切体１０１は、断面略コ字状をなす樹脂製の本体１０２と、この本体１０２の上下端部に取り付けられるキャップ１０３と、本体１０２及びキャップ１０３に取り付けられ本体との間に空間を形成する断面略コ字状をなす金属製の当板１０４と、当板１０４と本体１０２とで形成された空間に収納される発泡スチロール等の断熱材１０５と、仕切体１０１を回転させる時の軸となるヒンジ部材１０６から構成されている。
【０００４】
図８に示すように、仕切体１０１は冷蔵庫扉１０７とヒンジ部材１０６によって連結され、冷蔵庫扉１０７の裏面周縁に設けられ、冷蔵庫本体開口縁および当板１０４に当接するガスケット１０８によって貯蔵室の前面開口部を閉塞し密性を確保している。また、仕切体１０１は冷蔵庫扉１０７の開閉に対応してヒンジ部材１０６の回転軸中心１０９を軸として回転し食品の取り出し性を確保している。また、当板１０４と断熱材１０５の間には、当板１０４表面の結露防止用の加熱板１１０を備えている。
【０００５】
これにより、観音開き冷蔵庫において、仕切体１０１の設置された扉を閉じた時だけガスケットの当設面を当板１０４により形成して冷蔵庫内の機密性を確保すると共に食品の取り出し性を向上させ、かつ仕切体１０１内に設置された断熱材１０５により仕切部の断熱性能を向上させることができる。
【先行技術文献】
【特許文献】
【０００６】
【特許文献１】特許第２８０４６８２号公報
【発明の概要】
【発明が解決しようとする課題】
【０００７】
しかしながら、上記従来の構成では、断面略コ字状をなす当板の側面部が冷蔵庫内の冷気により冷やされやすい構成となっており、かつ熱伝導性の高い金属製の当板が、仕切体の冷蔵庫外側露出面の略全面を占有するため、冷蔵庫外へのヒートリーク量が多くなり、消費電力量が多くなるという課題を有していた。
【０００８】
本発明は上記従来の課題を解決するもので、金属性で伝熱性の高い断面略コ字状の当板の側面部と庫内冷気の間の断熱性を高め、当板と庫内冷気との熱交換量を構造的に工夫することでヒートリーク量を低減し、冷蔵庫の消費電力能力を向上させることのできる冷蔵庫を提供する事を目的とする。
【課題を解決するための手段】
【０００９】
上記従来の課題を解決するために、本発明の冷蔵庫は、貯蔵室の前面開口部を閉塞するように観音開き式の扉を設け、前記扉の裏面周縁に設けられ冷蔵庫本体開口縁に当接するガスケットと、前記扉の非枢支側内面に回転式の仕切体を設けた冷蔵庫において、前記仕切体は、熱伝導性の高い着磁性を有する当板と、前記当板と熱伝導性の低い樹脂材料で仕切体の外郭を構成する外郭構成部材と、前記外郭構成部材の構成面である側面に設けた熱伝導抑制部と、前記熱伝導抑制部を保護するように構成された保護部材と、前記外郭構成部材の側面に一体で複数のリブ形状によって構成された冷気対流抑制部と、を備え、前記保護部材は、柔軟な材質で成形された枢支側冷気循環抑制部をさらに備え、前記保護部材は前記仕切り体の縦方向に沿って前記冷気対流抑制部の一部である前記リブを嵌合部として配置されたものである。
【００１０】
これによって、熱伝導抑制部は、外郭構成部材の熱伝導によって貯蔵室内へ伝わる熱を遮断し、貯蔵室内の冷気と熱交換することを抑制し、また、前記外郭構成部材の強度劣化を補うことができる。
【発明の効果】
【００１１】
本発明の冷蔵庫は、仕切体のガスケットが当接する熱伝導性の高い着磁性を有する当板の周縁を仕切体本体の構造で工夫し、熱侵入抑制効果を向上させることで当板からのヒートリーク量を抑制し冷蔵庫の消費電力量を低下させることができる。
【図面の簡単な説明】
【００１２】
【図１】本発明の実施の形態１における冷蔵庫の縦断面図
【図２】本発明の実施の形態１における観音開き式冷蔵庫の概略上面図
【図３】本発明の実施の形態１における観音開き式冷蔵庫扉の要部断面図
【図４】本発明の実施の形態１における観音開き式冷蔵庫左側扉の斜視図
【図５】本発明の実施の形態１における回転式仕切体の平面断面図
【図６Ａ】本発明の実施の形態２における回転式仕切体の平面断面図
【図６Ｂ】本発明の実施の形態３における回転式仕切体の平面断面図
【図６Ｃ】本発明の実施の形態４における回転式仕切体の平面断面図
【図７】従来の冷蔵庫の回転式仕切体の分解斜視図
【図８】従来の冷蔵庫の回転式仕切体の基本断面図
【発明を実施するための形態】
【００１３】
第１の発明は、貯蔵室の前面開口部を閉塞するように観音開き式の扉を設け、前記扉の裏面周縁に設けられ冷蔵庫本体開口縁に当接するガスケットと、前記扉の非枢支側内面に回転式の仕切体を設けた冷蔵庫において、前記仕切体は、熱伝導性の高い着磁性を有する当板と、前記当板と熱伝導性の低い樹脂材料で仕切体の外郭を構成する外郭構成部材と、前記外郭構成部材の構成面である側面に設けた熱伝導抑制部と、前記熱伝導抑制部を保護するように構成された保護部材と、前記外郭構成部材の側面に一体で複数のリブ形状によって構成された冷気対流抑制部と、を備え、前記保護部材は、柔軟な材質で成形された枢支側冷気循環抑制部をさらに備え、前記保護部材は前記仕切り体の縦方向に沿って前記冷気対流抑制部の一部である前記リブを嵌合部として配置されたことにより、熱伝導抑制部は、外郭構成部材の熱伝導によって貯蔵室内へ伝わる熱を遮断し、貯蔵室内の冷気と熱交換することを抑制し、また、外郭構成部材の強度劣化を補うことができる。
【００１５】
第２の発明は、第１の発明において、前記保護部材は、前記外郭構成部材とツメ形状や穴形状での嵌合構造により固着したことにより、前記保護部材を容易に組み立てることが可能となり作業性の向上を図れるとともに、前記保護部材の取付け強度の確保を行うことができる。
【００１７】
第３の発明は、第１または第２の発明において、前記外郭構成部材は、熱伝導抑制部を複数面で設けたことにより、前記当板からの熱が前記外郭構成部材の熱伝導によって貯蔵室側まで伝わり、前記外郭構成部材と貯蔵室内の冷気との熱交換を複数の方向から抑制することで、熱交換量をさらに低減し、冷蔵庫の消費電力能力を向上させることができる。
【００１８】
第４の発明は、第１から第３のいずれかの発明において、前記仕切体の内部または前記扉の前記仕切体近傍部に湿度センサーを備えたことにより、前記当板裏面に配設された前記当板外気側表面の結露防止用加熱部材の熱量を、外気温度や湿度と対応した結露しない最低温度に調節しすることができることで、当板からの侵入熱量を抑制することができ、冷蔵庫の消費電力能力を向上させることができる。
【００１９】
第５の発明は、第１から第４のいずれかの発明において、前記扉は、前記仕切体の非枢支側の側面との間に冷気循環抑制部材を備えたことにより、前記扉の開閉時の回転動作における、前記扉の開閉動作に必要な前記扉と前記仕切体間の空間を遮蔽することができ、貯蔵室内の冷気が前記当板まで到達し熱交換することを抑制できるため、ヒートリーク量を低減し冷蔵庫の消費電力能力を向上させることができる。
【００２０】
第６の発明は、第１から第５のいずれかの発明において、前記保護部材は、前複数の記熱伝導抑制部の露出を一体で保護したことにより、組立て工数を削減できる作業性の向上と、部品点数の削減によるコストダウンを図ることができる。
【００２１】
第７の発明は、第１から第６のいずれかの発明において、前記保護部材は、前記外郭構成部材との間に断熱部材を備えたことにより、前記外郭構成部材を介して貯蔵室側に伝わった熱が、前記断熱部材の断熱効果によって前記保護部材まで伝わることを抑制し、前記保護部材の表面と貯蔵室内の冷気とが熱交換することを抑制することでヒートリーク量を
低減し冷蔵庫の消費電力能力を向上させることができる。
【００２２】
以下、本発明の実施の形態について、図面を参照しながら説明するが、従来例または先に説明した実施の形態と同一構成については同一符号を付して、その詳細な説明は省略する。なお、この実施の形態によってこの発明が限定されるものではない。
【００２３】
（実施の形態１）
図１は、本発明の実施の形態１における冷蔵庫の縦断面図、図２は、本発明の実施の形態１による観音開き式冷蔵庫の概略上面図、図３は、本発明の実施の形態１による観音開き式冷蔵庫扉の要部断面図、図４は、本発明の実施の形態１における観音開き式冷蔵庫左側扉の斜視図、図５は、本発明の実施の形態１における回転式仕切体の平面断面図である。
【００２４】
図１において、冷蔵庫３０の断熱箱体３１は主に鋼板を用いた外箱３２とＡＢＳなどの樹脂で成型された内箱３３とで構成され、その内部には例えば硬質発泡ウレタンなどの発泡断熱材３４が充填、周囲と断熱され、複数の貯蔵室に区分されている。最上部に冷蔵室３５、その冷蔵室３５の下部に切替室３６、そして最下部に冷凍室３７が配置される構成となっている。
【００２５】
冷蔵室３５の前面開口部には冷蔵室ドア３８、切替室３６の前面開口部には切替室ドア３９、冷凍室３７の前面開口部には冷凍室ドア４０が、それぞれの前面開口部を開閉自在に枢支されている。
【００２６】
冷蔵室３５は冷蔵保存のために凍らない温度を下限に通常１℃〜５℃とし、切替室３６は冷凍温度帯から冷蔵温度帯の温度切替設定が可能で、−１８〜４℃まで１℃間隔で設定することができる。冷凍室３７は冷凍温度帯に設定されており、冷凍保存のために通常−２２℃〜−１５℃で設定されているが、冷凍保存状態の向上のために、例えば−３０℃や−２５℃の低温で設定されることもある。
【００２７】
図２において、冷蔵庫３０の収納庫は両開き式の一対の扉によって開閉されるものであり、この一対の扉をなす冷蔵室扉左３８ａと冷蔵室扉右３８ｂは、それぞれ外側がヒンジにより冷蔵庫３０に軸支持されている。
【００２８】
図３、図４に示すように、冷蔵室扉左３８ａと冷蔵室扉右３８ｂは、外面材４１と、内面材４２、上下キャップから構成される閉空間に断熱材４３を充填して扉本体が構成される。冷蔵室扉左３８ａの開放端側には、冷蔵室扉右３８ｂ側へ進退する様に回動する仕切体５０が内面材４２に取り付けている。
【００２９】
仕切体５０の上下には、回転軸を備えた取付け用部材４５が冷蔵室扉左３８ａへ回動する様に取り付けられている。仕切体５０の庫内側にはスプリングが取付けられており、冷蔵室扉左３８ａの開閉に連動してスプリングの力を利用した機構により、仕切体５０が回動を行う。
【００３０】
また、冷蔵室扉左３８ａと冷蔵室扉右３８ｂの内面材４２には、冷蔵室３５の前面開口部を封止するためのガスケット４４が配設されている。
【００３１】
図５において、着磁性を有する金属製の当板５１を備えた仕切体５０は、樹脂部材である外郭構成部材５２とで、外郭の形状が形成されている。
【００３２】
当板５１は、断面略コ字形状をしており、両側面に形成したツメや固定用ビスにより、外郭構成部材５２へ固定されている。当板５１の内側には、当板５１表面の結露を防止する為の加熱板５４が当板５１の裏面略全面にわたり貼り付けられている。当板５１と外郭構成部材５２とで構成された仕切体内部の空間には、断熱部材５５が構成されている。
【００３３】
仕切体５０の取付け用部材４５は回転軸を備えており、回転軸の中心５６は、当板５１と外郭構成部材５２が構成する外郭の基本形状の外側に位置するよう構成されている。また、前記当板５１裏面には、加熱板５４が全面的に貼り付けられている。
【００３４】
また、前記外郭構成部材５２の側面には、切欠き穴や薄肉化によって形成された熱伝導抑制部６１が設けられている。熱伝導抑制部６１は、当板５１の側面の先端部より貯蔵室側で構成されている。保護部材５８は、前記熱伝導抑制部６１の周辺で、前記外郭構成部材５２の外側に取り付けられている。
【００３５】
また、前記保護部材５８は、冷蔵室扉左３８ａの開閉時における仕切体５０回転動作時、および冷蔵室扉右３８ｂの開閉時において、部品干渉のない回転軌跡の内側に収まるように構成されている。
【００３６】
以上のように構成された冷蔵庫の扉装置について、以下その動作、作用を説明する。
【００３７】
当板５１は断面略コ字形状の金属製であるため、仕切体５０の強度を高めることができ、仕切体５０の変形に起因したガスケット当接面の隙による庫内冷気漏れを防止することができる。また、ガスケット４４に含まれるマグネットが吸着し易いため、前記変形などによる当接条件悪化時に、ガスケット当接面の隙による庫内冷気漏れをさらに防止するこ
とができる。また、加熱板５４からの熱量を効率よく吸収することができ、加熱板５４による過度な発熱量を抑制し冷蔵庫の消費電力量の低減に寄与することができる。
【００３８】
また、当板５１は周縁を金属にくらべ伝熱能力の低い樹脂製の外郭構成部材５２により囲われ、かつ発泡断熱体などの断熱部材５５により庫内冷気からの伝熱を受けやすい当板５１側面部の断熱能力を高めている。
【００３９】
回転軸の中心５６は当板５１の側面部の外側に位置しており、仕切体５０の回転操作性を確保すると共に、当板５１の側面部から庫内までの距離を十分に確保することができ、ヒートリーク量の抑制効果をさらに向上させることができる。
【００４０】
外郭構成部材５２の当板５１接触部の近傍には基本板厚の薄肉化または切欠き穴で形成した熱伝導抑制部６１を設けることで、外気や加熱板５４からの熱がまず当板５１に伝わり、次に外郭構成部材５２に伝わり、外郭構成部材５２に伝わった熱が材料内で熱伝導により全体に広がることを抑制し、貯蔵室内空間と熱交換する量を低減し消費電力量の低減に寄与することができる。前記熱伝導抑制部６１は、当板５１側面の先端部より貯蔵室側で構成されていることで、当板５１からの熱伝導による貯蔵室側への熱侵入をも抑制し、外郭構成部材５２と当板５１の両方の熱伝導抑制効果を高めることができる。
【００４１】
保護部材５８は、仕切体５０の回転動作においても冷蔵室扉左３８ａと接触をしない位置を結んだ線である回転軌跡線の内側で形成しており、冷蔵室扉左３８ａの開閉に応じて回転する仕切体５０は内面材４２と干渉することなく動作を行う。冷蔵室扉左３８ａを開いた時、前述したように仕切体５０は回転軸の中心５６を軸として回転を行い所定の位置で回転を停止するが、回転時の勢いにより内面材４２と衝突する場合は外郭構成部材５２に固着された緩衝材によって衝撃を緩和し衝撃音の抑制を行う。
【００４２】
前記保護部材５８は、前記熱伝導抑制部６１が穴形状や切り欠き形状などで構成された場合は、熱伝導抑制部を仕切体５０の外側から覆うように保護することで、冷気の侵入を防止し断熱効果を向上させ、ヒートリーク量を低減し冷蔵庫の消費電力能力を向上させることができ、また、前記熱伝導抑制部６１が薄肉形状などで構成された場合は、材料の板厚が薄くなっていることによる強度劣化を前記保護部材５８によって補うことができる。さらに、前記保護部材５８が、外郭構成部材５２の側面部に設けられていることで、冷蔵室扉左３８ａと当板５１側面部の対流を低減することができ、当板５１側面部の断熱能力を高めている。
【００４３】
（実施の形態２）
図６Ａは、本発明の実施の形態２における回転式仕切体の平面断面図である。
【００４４】
図６Ａにおいて、前記外郭構成部材５２の側面には、切欠き穴や薄肉化によって形成された熱伝導抑制部６１が設けられている。熱伝導抑制部６１は、当板５１の側面の先端部より貯蔵室側で構成されている。保護部材５８は、前記熱伝導抑制部６１の周辺で、前記外郭構成部材５２の外側に取り付けられている。
【００４５】
外郭構成部材５２の外側には着脱可能で、柔軟な材質で成形された枢支側冷気循環抑制部６３を備えた保護部材５８が保護部材嵌合部６７にて嵌合固定されている。枢支側冷気循環抑制部６３は、冷蔵室扉左３８ａの一部と接触することで冷気の循環を抑制している。
【００４６】
また、枢支側冷気循環抑制部６３と同様に柔軟な材質で成形された非枢支側冷気循環抑制部材６４は、固定部材６５によって冷蔵室扉右３８ｂへ固定されている。前記非枢支側
冷気循環抑制部材６４は、外郭構成部材５２の一部と接触することで冷気の循環を抑制している。
【００４７】
また、冷蔵室扉右３８ｂは湿度センサー６８を備えており、冷蔵室扉左３８ａと冷蔵室扉右３８ｂの左右扉間であり、仕切体５０の当板５１正面付近に配設されている。
【００４８】
冷気対流抑制部７０は、冷蔵室扉左３８ａと仕切体５０の間で、外郭構成部材５２の側面にリブ形状によって構成されている。
【００４９】
前記保護部材５８および冷気対流抑制部７０は、冷蔵室扉左３８ａの開閉時における仕切体５０回転動作時、および冷蔵室扉右３８ｂの開閉時において、部品干渉のない回転軌跡の内側に収まるように構成されている。
【００５０】
以上のように構成された冷蔵庫について、以下その動作・作用を説明する。なお、実施の形態１と同様である動作・作用についての説明は省略する。
【００５１】
外郭構成部材５２の当板５１接触部の近傍に熱伝導抑制部６１を設けることで、外気や加熱板５４からの熱がまず当板５１に伝わり、次に外郭構成部材５２に伝わり、外郭構成部材５２に伝わった熱が材料内で熱伝導により全体に広がることを抑制し、庫内空間と熱交換する量を低減し消費電力量の低減に寄与することができる。熱伝導抑制部６１は、当板５１側面の先端部より貯蔵室側で構成されていることで、当板５１からの熱伝導による貯蔵室側への熱侵入をも抑制し、外郭構成部材５２と当板５１の両方の熱伝導抑制効果を高めることができる。
【００５２】
前記保護部材５８は、前記熱伝導抑制部６１が穴形状や切り欠き形状などで構成された場合は、熱伝導抑制部を仕切体５０の外側から覆うように保護することで、冷気の侵入を防止し断熱効果を向上させ、ヒートリーク量を低減し冷蔵庫の消費電力能力を向上させることができ、また、前記熱伝導抑制部６１が薄肉形状などで構成された場合は、材料の板厚が薄くなっていることによる強度劣化を前記保護部材５８によって補うことができる。さらに、前記保護部材５８が、外郭構成部材５２の側面部に設けられていることで、冷蔵室扉左３８ａと当板５１側面部の対流を低減することができ、当板５１側面部の断熱能力を高めている。
【００５３】
仕切体５０は、冷蔵室扉左３８ａの開閉時における仕切体５０の回転動作時、および冷蔵室扉右３８ｂの開閉時において、部品干渉のない回転軌跡の内側に収まるように構成されていることにより、仕切体５０と冷蔵室扉左３８ａおよび冷蔵室扉右３８ｂの間には隙間が必要となる。仕切体５０と冷蔵室扉左３８ａの隙を循環する冷気を枢支側冷気循環抑制部６３によって遮蔽することで、冷気とガスケット４４を介した外気との熱交換を抑制することができる。同様に仕切体５０と冷蔵室扉右３８ｂの隙を循環する冷気を非枢支側冷気循環抑制部材６４によって遮蔽することで、冷気とガスケット４４を介した外気との熱交換を抑制することができる。
【００５４】
前記保護部材５８は、外郭構成部材５２と保護部材嵌合部６７にて嵌合固定されることにより、組立て時の作業が容易であり、また、固定部材が不要であるため部品点数の削減を行うことができる。
【００５５】
冷気対流抑制部７０は、冷蔵室扉左３８ａと仕切体５０の間で、外郭構成部材５２の側面にリブ形状によって構成されており、仕切体５０と冷蔵室扉左３８ａの隙を対流する当板５１側面部からの放熱の動きを抑制することで、暖気と冷気が枢支側冷気循環抑制部６３を介して熱交換を抑制することができる。
【００５６】
枢支側冷気循環抑制部６３を備えた保護部材５８は、仕切体５０の縦方向に沿った部材とすることで、枢支側冷気循環抑制部６３は軟質材質、それ以外の部位は硬質材料の２色成形による押し出し成形加工が可能となり、部材のコスト抑制を行うことが出来る。
【００５７】
また、冷蔵室扉右３８ｂに備えられた湿度センサー６８は、仕切体５０の当板５１正面付近の湿度を感知することで、当板５１裏面に貼り付けられた加熱板５４の熱量を当板５１が結露しない最適な状態に調節することができ、消費電力量の低減を行うことができる。
【００５８】
（実施の形態３）
図６Ｂは、本発明の実施の形態３における回転式仕切体の平面断面図である。
【００５９】
図６Ｂにおいて、前記外郭構成部材５２の側面には、切欠き穴や薄肉化によって形成された熱伝導抑制部６１が設けられている。熱伝導抑制部６１は、当板５１の側面の先端部より貯蔵室側で構成されている。保護部材５８は、前記熱伝導抑制部６１の周辺で、前記外郭構成部材５２の外側に取り付けられている。
【００６０】
外郭構成部材５２の外側には着脱可能で、柔軟な材質で成形された枢支側冷気循環抑制部６３を備えた保護部材５８が保護部材嵌合部６７にて嵌合固定されている。枢支側冷気循環抑制部６３は、冷蔵室扉左３８ａの一部と接触することで冷気の循環を抑制している。
【００６１】
冷気対流抑制部７０は、冷蔵室扉左３８ａと仕切体５０の間で、外郭構成部材５２の側面に凸形状によって構成されている。冷気対流抑制部７０の形状の一部に熱伝導抑制部６１は設けられている。
【００６２】
保護部材５８の枢支側冷気循環抑制部６３が冷蔵室扉左３８ａと接触することによって前記熱伝導抑制部６１への冷気の浸入を保護している。
【００６３】
前記保護部材５８および冷気対流抑制部７０は、冷蔵室扉左３８ａの開閉時における仕切体５０回転動作時、および冷蔵室扉右３８ｂの開閉時において、部品干渉のない回転軌跡の内側に収まるように構成されている。
【００６４】
また、仕切体５０の非枢支側にも保護部材５８が保護部材嵌合部６７にて嵌合固定されている。枢支側冷気循環抑制部６３と同様に柔軟な材質で成形された仕切体５０の枢支側の保護部材５８の一部である非枢支側冷気循環抑制部７２が、冷蔵室扉右３８ｂへ固定された扉側冷気循環抑制部材７１と接触することで冷気の循環を抑制している。
【００６５】
以上のように構成された冷蔵庫について、以下その動作・作用を説明する。なお、実施の形態１または２と同様である動作・作用についての説明は省略する。
【００６６】
外郭構成部材５２の当板５１接触部の近傍に熱伝導抑制部６１を設けることで、外気や加熱板５４からの熱がまず当板５１に伝わり、次に外郭構成部材５２に伝わり、外郭構成部材５２に伝わった熱が材料内で熱伝導により全体に広がることを抑制し、庫内空間と熱交換する量を低減し消費電力量の低減に寄与することができる。熱伝導抑制部６１は、当板５１側面の先端部より貯蔵室側で構成されていることで、当板５１からの熱伝導による貯蔵室側への熱侵入をも抑制し、外郭構成部材５２と当板５１の両方の熱伝導抑制効果を高めることができる。
【００６７】
仕切体５０は、冷蔵室扉左３８ａの開閉時における仕切体５０の回転動作時、および冷蔵室扉右３８ｂの開閉時において、部品干渉のない回転軌跡の内側に収まるように構成されていることにより、仕切体５０と冷蔵室扉左３８ａおよび冷蔵室扉右３８ｂの間には隙間が必要となる。仕切体５０と冷蔵室扉左３８ａの隙を循環する冷気を枢支側冷気循環抑制部６３によって遮蔽することで、冷気とガスケット４４を介した外気との熱交換を抑制することができる。また、冷蔵室扉右３８ｂへ固定された扉側冷気循環抑制部材７１は、枢支側冷気循環抑制部６３と同様に柔軟な材質で成形された非枢支側冷気循環抑制部７２が、接触し冷気の循環を抑制することで、冷気とガスケット４４を介した外気との熱交換を抑制することができる。
【００６８】
また、冷気対流抑制部７０は、冷蔵室扉左３８ａと仕切体５０の間で、外郭構成部材５２の側面にリブ等で構成した凸形状によって、仕切体５０と冷蔵室扉左３８ａの隙を対流する当板５１側面部からの放熱の動きを抑制することで、暖気と冷気が枢支側冷気循環抑制部６３を介して熱交換を抑制することができる。
【００６９】
前記熱伝導抑制部６１は、前記保護部材５８に備えられた枢支側冷気循環抑制部６３と当板５１と密着したガスケット４４との間に存在することによって、貯蔵室内の冷気の浸入を保護し、また実使用時において露出し難い位置にあることによって、薄肉化による強度不足や切欠き穴による液体の浸入等を保護している。
【００７０】
前記保護部材５８は、外郭構成部材５２と保護部材嵌合部６７にて嵌合固定されることにより、組立て時の作業が容易であり、また、固定部材が不要であるため部品点数の削減を行うことができる。
【００７１】
枢支側冷気循環抑制部６３を備えた保護部材５８は、仕切体５０の縦方向に沿った部材とすることで、枢支側冷気循環抑制部６３は軟質材質、それ以外の部位は硬質材料の２色成形による押し出し成形加工が可能となり、部材のコスト抑制を行うことが出来る。
【００７２】
枢支側冷気循環抑制部６３と非枢支側冷気循環抑制部７２が、外郭構成部材５２の両側面に構成されたことにより、当板５１側面部の熱交換抑制効果をより向上させることができる。
【００７３】
また、冷蔵室扉右３８ｂに備えられた湿度センサー６８は、仕切体５０の当板５１正面付近の湿度を感知することで、当板５１裏面に貼り付けられた加熱板５４の熱量を当板５１が結露しない最適な状態に調節することができ、消費電力量の低減を行うことができる。
【００７４】
（実施の形態４）
図６Ｃは、本発明の実施の形態４における回転式仕切体の平面断面図である。
【００７５】
図６Ｃにおいて、前記外郭構成部材５２の両側面と背面には、切欠き穴によって形成された熱伝導抑制部６１が設けられている。両側面の熱伝導抑制部６１は、当板５１の側面の先端部より貯蔵室側で構成されている。保護部材５８は、前記熱伝導抑制部６１の周辺で、前記外郭構成部材５２の外側に取り付けられている。
【００７６】
外郭構成部材５２の外側には着脱可能で、柔軟な材質で成形された枢支側冷気循環抑制部６３と非枢支側冷気循環抑制部７２を備えた保護部材５８が保護部材嵌合部６７にて嵌合固定されている。
【００７７】
枢支側冷気循環抑制部６３は、冷蔵室扉左３８ａの一部と接触することで冷気の循環を
抑制している。また、枢支側冷気循環抑制部６３と同様に柔軟な材質で成形された仕切体５０の非枢支側の非枢支側冷気循環抑制部７２が、冷蔵室扉右３８ｂへ固定された扉側冷気循環抑制部材７１と接触することで冷気の循環を抑制している。
【００７８】
外郭構成部材５２の両側面に設けられた熱伝導抑制部６１である切欠き穴を利用して保護部材嵌合部６７が嵌合固定されている。外郭構成部材５２の背面と保護部材５８の間には、外郭構成部材５２の背面に固着された背面断熱部材７３が備えられている。
【００７９】
冷気対流抑制部７０は、冷蔵室扉左３８ａと仕切体５０の間で、外郭構成部材５２の側面にリブ形状によって構成されており、仕切体５０と冷蔵室扉左３８ａの隙を対流する当板５１側面部からの放熱の動きを抑制することで、暖気と冷気が枢支側冷気循環抑制部６３を介して熱交換を抑制することができる。
【００８０】
前記保護部材５８および冷気対流抑制部７０は、冷蔵室扉左３８ａの開閉時における仕切体５０回転動作時、および冷蔵室扉右３８ｂの開閉時において、部品干渉のない回転軌跡の内側に収まるように構成されている。
【００８１】
また、冷蔵室扉右３８ｂは湿度センサー６８を備えており、冷蔵室扉左３８ａと冷蔵室扉右３８ｂの左右扉間であり、仕切体５０の当板５１正面付近に配設されている。
【００８２】
以上のように構成された冷蔵庫について、以下その動作・作用を説明する。なお、実施の形態１から３のいずれかと同様である動作・作用についての説明は省略する。
【００８３】
外郭構成部材５２の当板５１接触部の近傍に熱伝導抑制部６１を設けることで、外気や加熱板５４からの熱がまず当板５１に伝わり、次に外郭構成部材５２に伝わり、外郭構成部材５２に伝わった熱が材料内で熱伝導により全体に広がることを抑制し、庫内空間と熱交換する量を低減し消費電力量の低減に寄与することができる。熱伝導抑制部６１は、当板５１側面の先端部より貯蔵室側で構成されていることで、当板５１からの熱伝導による貯蔵室側への熱侵入をも抑制し、外郭構成部材５２と当板５１の両方の熱伝導抑制効果を高めることができる。
【００８４】
仕切体５０は、冷蔵室扉左３８ａの開閉時における仕切体５０の回転動作時、および冷蔵室扉右３８ｂの開閉時において、部品干渉のない回転軌跡の内側に収まるように構成されていることにより、仕切体５０と冷蔵室扉左３８ａおよび冷蔵室扉右３８ｂの間には隙間が必要となる。仕切体５０と冷蔵室扉左３８ａの隙を循環する冷気を枢支側冷気循環抑制部６３によって遮蔽することで、冷気とガスケット４４を介した外気との熱交換を抑制することができる。また、冷蔵室扉右３８ｂへ固定された扉側冷気循環抑制部材７１は、枢支側冷気循環抑制部６３と同様に柔軟な材質で成形された非枢支側冷気循環抑制部７２が、接触し冷気の循環を抑制することで、冷気とガスケット４４を介した外気との熱交換を抑制することができる。
【００８５】
冷気対流抑制部７０は、冷蔵室扉左３８ａと仕切体５０の間で、外郭構成部材５２の側面にリブ形状によって構成されており、仕切体５０と冷蔵室扉左３８ａの隙を対流する当板５１側面部からの放熱の動きを抑制することで、暖気と冷気が枢支側冷気循環抑制部６３を介して熱交換を抑制することができる。
【００８６】
前記保護部材５８は、外郭構成部材５２と保護部材嵌合部６７にて嵌合固定されることにより、組立て時の作業が容易であり、また、固定部材が不要であるため部品点数の削減を行うことができる。また、外郭構成部材５２側の前記熱伝導抑制部６１である欠き穴を利用して保護部材５８の保護部材嵌合部６７が嵌合固定されることで、外郭構成部材５２
に保護部材５８固定のための形状を設ける必要がなく、また保護部材５８の形状も簡素化することができ、組立て時の作業が容易である。
【００８７】
枢支側冷気循環抑制部６３と非枢支側冷気循環抑制部７２が、外郭構成部材５２の両側面に構成されたことにより、当板５１側面部の熱交換抑制効果をより向上させることができる。
【００８８】
また、枢支側冷気循環抑制部６３と非枢支側冷気循環抑制部７２を備えた保護部材５８は、仕切体５０の縦方向に沿った部材とすることで、枢支側冷気循環抑制部６３は軟質材質、それ以外の部位は硬質材料の２色成形による押し出し成形加工が可能となり、部材のコスト抑制を行うことが出来る。
【００８９】
外郭構成部材５２の背面と保護部材５８の間には、外郭構成部材５２の背面に固着されたフォーム材で形成された背面断熱部材７３が備えたことで、背面断熱部材７３の断熱効果により保護部材５８と外郭構成部材５２との熱交換を抑制することができ、消費電力量の低減に寄与することができる。
【００９０】
また、冷蔵室扉右３８ｂに備えられた湿度センサー６８は、仕切体５０の当板５１正面付近の湿度を感知することで、当板５１裏面に貼り付けられた加熱板５４の熱量を当板５１が結露しない最適な状態に調節することができ、消費電力量の低減を行うことができる。
【産業上の利用可能性】
【００９１】
以上のように、本発明にかかる冷蔵庫は、当板からのヒートリーク量を抑制し冷蔵庫の消費電力能力を向上させることができるため、仕切部材を有する観音開き式の扉装置を備えたあらゆる冷却機器に適用できる。
【符号の説明】
【００９２】
３８ａ  冷蔵室扉左
３８ｂ  冷蔵室扉右
４１  外面材
４２  内面材
４３  断熱材
４４  ガスケット
４５  取付け用部材
５０  仕切体
５１  当板
５２  外郭構成部材
５４  加熱板
５５  断熱部材
５６  回転軸の中心
５８  保護部材
６１  熱伝導抑制部
６３  枢支側冷気循環抑制部
６４  非枢支側冷気循環抑制部材
６５  固定部材
６７  保護部材嵌合部
６８  湿度センサー
７０  冷気対流抑制部
７１  扉側冷気循環抑制部材
７２  非枢支側冷気循環抑制部
７３  背面断熱部材
【図１】
0005891350.tif 000002
【図２】
0005891350.tif 000003
【図３】
0005891350.tif 000004
【図４】
0005891350.tif 000005
【図５】
0005891350.tif 000006
【図６Ａ】
0005891350.tif 000007
【図６Ｂ】
0005891350.tif 000008
【図６Ｃ】
0005891350.tif 000009
【図７】
0005891350.tif 000010
【図８】
0005891350.tif 000011